(57)【要約】【課題】未登録のワンタッチキーを操作した場合に、その前後のワンタッチキーに対応する相手先情報を読み出すことにより、誤って未登録のワンタッチキーを操作した場合の使い勝手を向上させることのできる原稿読取記録装置を提供する。【解決手段】制御手段１は、いずれかのワンタッチキー８Ａが操作された際に、対応する相手先情報が登録されていないときには、操作されたワンタッチキー８Ａの周囲のワンタッチキー８Ａに対応して記憶されている相手先情報を読み出して相手先選択画面に一覧表示する。【選択図】図１
2008067254.tif 000002
【特許請求の範囲】
【請求項１】
所定の順序で配列されたワンタッチキーごとに相手先情報を記憶した記憶手段と、いずれかのワンタッチキーが操作され、対応して記憶された相手先情報の読み出しを行う制御手段とを備えた原稿読取記録装置において、
上記制御手段は、いずれかのワンタッチキーが操作された際に、対応する相手先情報が登録されていないときには、操作されたワンタッチキーの周囲のワンタッチキーに対応して記憶されている相手先情報を読み出して相手先選択画面を一覧表示することを特徴とする原稿読取記録装置。
【請求項２】
請求項１において、
上記相手先選択画面を表示する前に、操作されたワンタッチキーに対して相手先情報を登録するか否かを問い合わせ、登録しないことが選択されたときには、上記相手先選択画面を表示することを特徴とする原稿読取記録装置。
【請求項３】
請求項１において、
上記相手先選択画面がキャンセル操作された場合には、操作されたワンタッチキーに対して相手先情報を登録するか否かを問い合わせることを特徴とする原稿読取記録装置。
【請求項４】
請求項１において、
上記相手先選択画面には、選択項目として、操作されたワンタッチキーに対して相手先情報を登録する画面の呼出が含まれていることを特徴とする原稿読取記録装置。
【発明の詳細な説明】
【技術分野】
【０００１】
本発明は、原稿読取記録装置の改良に関する。
【背景技術】
【０００２】
近時、特許文献１に示すような原稿読取記録装置が広く普及している。
【０００３】
この種の原稿読取記録装置は、複数のワンタッチキーを備えており、ＦＡＸ送信時においていずれかのワンタッチキーを操作すると、そのワンタッチキーに対応して記憶されている相手先情報が読み出されて表示され、その相手先情報に基づいてＦＡＸ送信できるようになっている。
【０００４】
ここで、この種の原稿読取記録装置では、相手先情報が記憶されていないワンタッチキーを操作したときには、そのワンタッチキーに相手先情報を登録するか否かの確認画面を表示し、相手先情報が入力されたときには、入力された相手先情報を、そのワンタッチキーに対応して記憶するようになっている。
【特許文献１】特開２００３−３３３１６２号公報
【発明の開示】
【発明が解決しようとする課題】
【０００５】
ところが、このような従来の原稿読取記録装置では、ユーザがワンタッチキーを操作してＦＡＸ送信を行う場合、相手先情報が未登録のワンタッチキーを操作したときには、相手先情報の登録を行うことしかできず、他の相手先を指定しようとするときには、一旦処理をクリアしてから相手先を指定する必要があるなど、使い勝手がよいものとはいえなかった。
【０００６】
本発明は、このような事情を考慮して提案されるものであり、未登録のワンタッチキーを操作した場合に、そのワンタッチキーの周囲のワンタッチキーに対応する相手先情報を読み出すことにより、誤って未登録のワンタッチキーを操作した場合の使い勝手を向上させることのできる原稿読取記録装置を提供することを目的とする。
【課題を解決するための手段】
【０００７】
上記目的を達成するために、本発明の請求項１では、制御手段は、いずれかのワンタッチキーが操作された際に、対応する相手先情報が登録されていないときには、操作されたワンタッチキーの周囲のワンタッチキーに対応して記憶されている相手先情報を読み出して相手先選択画面に一覧表示することを特徴とする。
【０００８】
請求項２では、相手先選択画面を表示する前に、操作されたワンタッチキーに対して相手先情報を登録するか否かを問い合わせ、登録しないことが選択されたときには、相手先選択画面を表示することを特徴とする。
【０００９】
請求項３，４は、相手先選択画面を表示してから、相手先情報の登録意思の確認を行うものであり、請求項３では、相手先選択画面がキャンセル操作された場合には、操作されたワンタッチキーに対して相手先情報を登録するか否かを問い合わせることを特徴とする。
また、請求項４では、相手先選択画面には、選択項目として、操作されたワンタッチキーに対して相手先情報を登録する画面の呼出が含まれていることを特徴とする。
【発明の効果】
【００１０】
請求項１によれば、制御手段は、相手先情報を登録していないワンタッチキーが操作されたときには、その選択されたワンタッチキーの周囲のワンタッチキーに対応して記憶されている相手先情報を相手先選択画面に一覧表示するので、相手先情報が記憶されていないワンタッチキーを誤って操作した場合には、その前後のワンタッチキーの相手先情報を選択してＦＡＸ送信などをすることができ、利便である。
【００１１】
請求項２によれば、相手先確認画面を表示する前に、操作されたワンタッチキーに対して相手先情報を登録するか否かを問い合わせるので、相手先情報が未登録のワンタッチキーを操作した場合、直ちにそのワンタッチキーに対して相手先情報を新規に登録させることができる。
【００１２】
請求項３によれば、相手先選択画面がキャンセルされると、操作されたワンタッチキーに対して相手先情報を登録するか否かを問い合わせる画面を表示するので、相手先選択画面を表示した後、相手先情報の登録するか否かのユーザの意思を確認することができる。
【００１３】
請求項４によれば、相手先選択画面を表示してから、相手先登録確認画面の表示をスキップして、登録画面を表示させることができるので、相手先情報の登録作業をスムースに行うことができる。
【発明を実施するための最良の形態】
【００１４】
以下に、本発明の実施の形態について説明する。
【００１５】
図１は、本発明の原稿読取記録装置の要部構成の一例を示すブロック図である。
【００１６】
この原稿読取記録装置は例えばファクシミリ装置Ｆで構成することができ、ファクシミリ装置Ｆは、以下の各部を制御するＣＰＵ１と、電話回線Ｌに対する接続制御を行うＮＣＵ２と、ファクシミリ通信に必要な各種信号の変復調を行うモデム３と、ワンタッチキーに対応する相手先情報などを記憶するＲＡＭ４と、このファクシミリ装置Ｆが動作するのに必要な各種プログラムなどを記憶したＲＯＭ５と、画像データを格納する画像メモリ６と、表示部７と、ワンタッチキー８Ａを複数有する操作部８と、画像データの符号化、復号を行うコーデック９と、画像データを印字出力するプリンタ１０と、スキャナ１１とを備えている。
【００１７】
このファクシミリ装置Ｆにおいて、ＲＡＭ４には、ワンタッチキー８Ａに割り付けられた番号の各々に対応して、相手先名称、相手先電話番号などで構成される相手先情報が記憶されている。なお、相手先情報はこれらの情報には限られない。
【００１８】
図２は、このようなＲＡＭ４の構成の一例を示す図である。ＲＡＭ４では、ワンタッチキー８Ａの番号０１〜Ｎに対して、相手先名称、相手先電話番号が記憶されている。なお、相手先電話番号の代わりに相手先の電子メールアドレスなど、あらゆる種類の相手先の通信アドレスを記憶するようにしてもよい。
【００１９】
このＲＡＭ４では、ワンタッチキー８Ａの番号０１と番号０３との各々に対しては、それぞれ相手先名称、相手先電話番号を記憶しているが、番号０２に対しては未登録となっている。
【００２０】
ＲＡＭ４に記憶された相手先情報は、ワンタッチキー８Ａが操作されたときに、ＣＰＵ１によって読み出され、操作されたワンタッチキー８Ａのワンタッチキー番号、相手先名称、相手先電話番号が表示部７に表示されて、発信準備されるようになっている。
【００２１】
このような相手先情報は、予めＦＡＸ送信などの処理が選択され、ついで、相手先を選択するためにワンタッチキー８Ａが操作されたときに読み出され表示される。
【００２２】
なお、本発明は、ワンタッチキー８Ａの番号ごとに、相手先情報として、相手先名称、相手先電話番号を記憶するようにしているが、キー操作をすると、自動的に相手先の電話番号を読み出し、予め定められた処理（例えばＦＡＸ送信）を行うようにしたプログラムワンタッチキーに適用するようにしてもよい。
【００２３】
図３は、本発明のファクシミリ装置Ｆの基本動作の一例を説明するフローチャートである（１００〜１０７）。図４は、本発明のファクシミリ装置Ｆの基本動作の他例を説明するフローチャートである（２００〜２０９）。図５は、本発明のファクシミリ装置Ｆで表示される画面の一例を示す図である。
【００２４】
このファクシミリ装置Ｆは、ワンタッチキー８Ａのいずれかが操作されたときには、ＣＰＵ１により、ＲＡＭ４を参照して、操作されたワンタッチキー８Ａに対応して相手先名称、相手先電話番号が記憶されているかを判別する（１００，１０１）。
【００２５】
相手先情報が記憶されていない場合には、相手先登録確認画面を表示部７に表示する（１０２）。一方、記憶されている場合には、その相手先情報を読み出して表示部７に表示させ、図示しないスタートキーの操作などがされると、その相手先に発信する発信処理（例えばＦＡＸ送信など）を行う（１０６）。
【００２６】
図５（ａ）は、相手先登録確認画面の構成の一例を示す図である。このような相手先登録確認画面は、表示部７と操作部８との組み合わせとなっている。
相手先登録確認画面では、操作されたワンタッチキー番号（例えばワンタッチキー番号０２）には相手先情報が登録されていないので、新たに登録するか否かを問い合わせる表示がなされており、「はい」キーを操作すれば所定の登録モードが実行される（１０３，１０８）。
登録モードは、操作されたワンタッチキー８Ａに相手先情報を登録するためのモードを意味しており、所定の画面が呼出表示され、そこで、相手先名称、相手先電話番号の入力を受け付け、確定操作がされたときには、入力された相手先情報が、そのワンタッチキー８Ａの番号に対応する相手先情報として、ＲＡＭ４に記憶される。
【００２７】
一方、「いいえ」キーを操作すれば、操作されたワンタッチキー８Ａの隣接または周囲に配列されているワンタッチキー８Ａに対応する相手先名称、相手先電話番号を読み出し、相手先選択画面を表示部７に表示する（１０４）。
【００２８】
例えば、ワンタッチキー番号０２が操作された場合には、図２に示すように、対応する相手先名称、相手先電話番号が未登録であるので、例えば、前後の番号が割り付けられたワンタッチキー８Ａの相手先情報、すなわち、ワンタッチキー番号０１と番号０３とのそれぞれに対応する相手先情報を読み出し、一覧表示する。
【００２９】
図５（ｂ）は、相手先選択画面の構成の一例を示す図である。このような相手先選択画面は、表示部７と操作部８との組み合わせとなっている。
【００３０】
この相手先選択画面では、操作されたワンタッチキー８Ａ（例えばワンタッチキー番号０２）が操作されたときには、その前後のワンタッチキー８Ａの番号０１と番号０３とに対応する相手先情報（ここでは相手先名称）が表示されている。
【００３１】
なお、表示対象となる相手先情報は、相手先名称のみとしているが、相手先電話番号を併記するようにしてもよい。
【００３２】
選択対象となるワンタッチキー８Ａの数が多くて表示部７の表示スペースに収まりきらない場合には、「次画面」キーまたは「前画面」キーを操作するごとに、表示が切り替わって行くようにすればよい。
【００３３】
相手先選択画面の初期表示では、操作された相手先情報が未登録のワンタッチキー８Ａの番号にカーソル７Ａを合わせてユーザに操作されたワンタッチキー８Ａを教示する。この状態で、「上」キーまたは「下」キーを操作すれば、カーソル７Ａが上下に移動して、選択すべき相手先が切り替わり、「選択」キーを操作すれば、発信処理を開始する（１０５，１０６）。
【００３４】
また、「キャンセル」キーを操作すれば、相手先選択画面の表示が解除されて、初期待機画面に移行する（１０７）。
【００３５】
次に、本発明のファクシミリ装置Ｆの基本動作の他例について図４のフローチャートとともに説明する（２００〜２０９）。
【００３６】
このファクシミリ装置Ｆは、相手先情報が未登録のワンタッチキー８Ａを操作した場合には、周囲のワンタッチキー８Ａに対応する相手先情報を読み出して一覧表示した相手先選択画面を表示する（２００〜２０２）（図５（ｂ）参照）。
【００３７】
このような相手先選択画面において相手先が選択された場合には発信処理を行う一方、「キャンセル」キーが操作された場合には、相手先選択画面を消去して、相手先登録確認画面（図５（ａ）参照）を表示させる（２０３，２０４，２０８，２０９）。
【００３８】
そして、相手先登録確認画面において、「はい」キーが操作されたときには登録モードを実行する一方、「いいえ」キーが操作されたときには、初期画面に移行する（２０６，２０７）。
【００３９】
また、「登録画面呼出」ボタンが操作されたときには、登録モードが開始される。登録モードでは、操作されたワンタッチキー８Ａに対して相手先情報を登録する画面が呼び出されて表示される。
【００４０】
図６（ａ）、（ｂ）は、ワンタッチキー８Ａの配列の具体的な例を示す図面で、＃数字は、ワンタッチキー８Ａの番号を意味している。
【００４１】
ここで、図６（ａ）の例では、ワンタッチキー８Ａが一次元的に配列されている。このような配列とした場合、例えば、相手先情報が登録されていないワンタッチキー８Ａ（＃３）が操作されたときには、その左右両隣のワンタッチキー８Ａ（＃２）、８Ａ（＃４）のそれぞれに対応して記憶されている相手先情報が読み出されて、相手先選択画面に表示される。また、相手先情報が登録されていないワンタッチキー８Ａ（＃１）が操作されたときには、その左隣はないので、右隣のワンタッチキー８Ａ（＃２）に対応して記憶されている相手先情報が読み出されて、相手先選択画面に表示される。
【００４２】
一方、図６（ｂ）の例では、ワンタッチキー８Ａが２次元的に配列されている。このような配列とした場合、例えば、相手先情報が登録されていないワンタッチキー８Ａ（＃６）が操作されたときには、その周囲のワンタッチキー８Ａ（＃１）、８Ａ（＃２）、８Ａ（＃３）、８Ａ（＃５）、８Ａ（＃７）、８Ａ（＃９）、８Ａ（＃１０）、８Ａ（＃１１）のそれぞれに対応して記憶されている相手先情報が読み出されて、相手先選択画面に表示される。また、相手先情報が登録されていないワンタッチキー８Ａ（＃８）が操作されたときには、その周囲のワンタッチキー８Ａ（＃３）、８Ａ（＃４）、８Ａ（＃７）、８Ａ（＃１１）、８Ａ（＃１２）のそれぞれに対応して記憶されている相手先情報が読み出されて、相手先選択画面に表示される。すなわち、この例では、相手先情報が登録されていないワンタッチキー８Ａが操作されたときには、基本的に、その周囲の６つのワンタッチキー８Ａに対応して記憶されている相手先情報が読み出されるが、これに限定されるわけではなく、前後左右の４つのワンタッチキー８Ａに対応して記憶されている相手先情報が読み出されるようにしてもよい。
【００４３】
なお、ワンタッチキー８Ａの番号それぞれに対して、その周囲となるワンタッチキー８Ａの番号全てを予め登録しておけば、相手先情報が登録されていないワンタッチキー８Ａが操作されたときに、その番号からその周囲となるワンタッチキー８Ａの番号を算出する必要がないので、相手先情報の読み出しを高速に行うことができる。
【００４４】
また、相手先情報を読み出すべきワンタッチキー８Ａに対応して相手先情報が記憶されていない場合には、その読み出しはスキップされ、相手先選択画面では、その分詰めて表示される。
【図面の簡単な説明】
【００４５】
【図１】本発明の原稿読取記録装置の要部構成の一例を示すブロック図
【図２】ＲＡＭ４の構成の一例を示す図
【図３】本発明の原稿読取記録装置の基本動作の一例について説明するフローチャート
【図４】本発明の原稿読取記録装置の基本動作の他例について説明するフローチャート
【図５】本発明の原稿読取記録装置で表示される画面の一例を示す図であり、図５（ａ）は相手先登録確認画面、図５（ｂ）は相手先選択画面の構成の一例を示す図
【図６】ワンタッチキー８Ａの配列の具体的な例を示す図であり、図６（ａ）は、ワンタッチキー８Ａが一次元的に配列されている態様、図６（ｂ）は、ワンタッチキー８Ａが二次元的に配列されている態様を示す図
【符号の説明】
【００４６】
Ｆ  ファクシミリ装置（原稿読取記録装置）
１  ＣＰＵ
４  ＲＡＭ
８Ａ  ワンタッチキー
【図１】
2008067254.tif 000003
【図２】
2008067254.tif 000004
【図３】
2008067254.tif 000005
【図４】
2008067254.tif 000006
【図５】
2008067254.tif 000007
【図６】
2008067254.tif 000008